(57)【特許請求の範囲】
【請求項１】
アッパフレームとロアフレームと左右のサイドフレームとにより正面から見て略ロの字状に形成されてなるシートバックフレームをシートクッション又は車体にリクライニング装置又はストライカーにより片側が支持されてなる乗り物用シートであって、
前記アッパフレームの左右略中央には、略Ｕ字状の迂回部を形成してなり、
前記アッパフレームの迂回部とリクライニング装置又はストライカーを支持した側の支持部を有するサイドフレームとを連結してなることを特徴とする乗り物用シート。
【請求項２】
請求項１に記載の乗り物用シートであって、
前記シートバックの前記リクライニング装置又はストライカーによりロックされていない側の前記アッパフレームと前記ロアフレームとが、補強部材により連結してなることを特徴とする乗り物用シート。
【発明の詳細な説明】
【技術分野】
【０００１】
本発明は、自動車等の乗り物用シートに関するものである。
【背景技術】
【０００２】
従来の乗り物用シートとしては、例えば、車体に近い側のシートバックが、ヒンジ機構により、前後回転自在に支持されると共に車体から離れる側、即ち室内側のシートバックがリクライニング装置又はストライカーによりロックされて成り、車体の両側部に跨って配されるシートの左右幅が右側のシートが６に対して左側のシートの左右幅が４の比率になっているものがある（例えば、特許文献１参照。）。
【先行技術文献】
【特許文献】
【０００３】
【特許文献１】特開２００９−０４０３５２号公報
【発明の概要】
【発明が解決しようとする課題】
【０００４】
しかしながら、このような従来の技術にあっては、所謂ワンボックスカーと言われる荷室スペースと乗員スペースとが空間的に連続している形態の場合、シートの後側の空間を荷室スペースとしている。このため、自動車が急制動した場合など、加速度が荷室スペースに積載した荷物に加わった場合、荷物は荷室に最も近い位置に配されてなるシートの起立状態のシートバックの後にぶつかって停まることになる。この際、左右方向に長く、しかも、リクライニング装置によってロックされている側のシートバックは動かないが、ヒンジ機構のみのシートバックの側は、ロック機構がないので、前側に変形してしまうおそれがある。この変形を防ぐために、シートバックフレームの強度を上げると、原価高騰の一原因になるばかりか重量が増加することになる。また、シートバックの両側にリクライニング装置を組み込むと、やはり、原価高騰の一原因になるばかりか重量が増加することになる。
【０００５】
本発明は、このような従来の技術に着目してなされたものであり、後側からの荷物等の衝撃に対し、原価が高騰せず、重量が増加しない方法で、シートバックフレームの変形を少なくした乗り物用シートを提供するものである。
【課題を解決するための手段】
【０００６】
請求項１に記載の発明は、アッパフレームとロアフレームと左右のサイドフレームとにより正面から見て略ロの字状に形成されてなるシートバックフレームをシートクッション又は車体にリクライニング装置又はストライカーにより片側が支持されてなる乗り物用シートであって、前記アッパフレームの左右略中央には、略Ｕ字状の迂回部を形成してなり、前記アッパフレームの迂回部とリクライニング装置又はストライカーを支持した側の支持部を有するサイドフレームとを連結してなることを特徴とする。
【０００８】
請求項２記載の発明は、請求項１に記載の乗り物用シートであって、前記シートバックの前記リクライニング装置又はストライカーによりロックされていない側の前記アッパフレームと前記ロアフレームとが、補強部材により連結してなることを特徴とする。
【発明の効果】
【０００９】
請求項１記載の発明によれば、アッパフレームとロアフレームと左右のサイドフレームとにより正面から見て略ロの字状に形成されてなるシートバックフレームをシートクッション又は車体にリクライニング装置又はストライカーにより片側が支持されてなる乗り物用シートであって、前記アッパフレームの左右略中央には、略Ｕ字状の迂回部を形成してなり、前記アッパフレームの迂回部とリクライニング装置又はストライカーを支持した側の支持部を有するサイドフレームとを連結してなるため、後側からの荷物等の衝撃に対し、前記迂回部のみが変形するので、前記迂回部より支持部側の変形が少なくなると共に前記迂回部が変形時に衝撃を吸収しつつ前側に移動するが、前記迂回部から支持されていない側のシートバックの変形であり、距離が短く、支持されていない側のシートバックの変形量が少なくなる。前記アッパフレームに迂回部を形成することは、原価が高騰せず、重量が増加しない。
【００１０】
また、前記アッパフレームの迂回部と前記支持部の有するサイドフレームとを連結してなるため、前記シートバックの強度が著しく増すことになる。
【００１１】
請求項２記載の発明によれば、前記シートバックの前記リクライニング装置又はストライカーによりロックされていない側の前記アッパフレームと前記ロアフレームとが、補強部材により連結してなるため、前記補強部材によりシートバックの大幅な強度増強が不要となる。
【図面の簡単な説明】
【００１２】
【図１】本発明の一実施例に係る乗り物用シートの正面説明図。
【図２】図１の乗り物用シートのシートバックフレームの斜視図。
【図３】図２の乗り物用シートのシートバックフレームを背面から見た正面図。
【発明を実施するための形態】
【００１３】
後側からの荷物等の衝撃に対し、原価が高騰せず、重量が増加しない方法で、シートバックフレームの変形を少なくした乗り物用シートを提供する、という目的を、アッパフレームとロアフレームと左右のサイドフレームとにより正面から見て略ロの字状に形成されてなるシートバックフレームをシートクッション又は車体にリクライニング装置又はストライカーにより片側が支持されてなる乗り物用シートであって、前記アッパフレームの左右略中央には、略Ｕ字状の迂回部を形成してなり、前記アッパフレームの迂回部とリクライニング装置又はストライカーを支持した側の支持部を有するサイドフレームとを連結してなることで、実現した。
【実施例】
【００１４】
以下、本発明の最良の実施例を図１〜図３に基づいて説明する。図１は、「乗り物」としてのワンボックスタイプの自動車に搭載されてなるシート１、２に、３人が並んで着座可能状態であることを示す。つまり、該シート１、２は、ワンボックスタイプの自動車を左右方向に２分割することで、６、４分割という。そして、該シート１、２は、図示しない運転席の後ろ側ＲＲに配される所謂サード席（前から３番目の座席）である。
【００１５】
前記シート１は、左右に連続して２人の大人の乗員が着座可能なるように、約７３０ミリメートルと左右に長い左右幅を有するシートクッション７と、該シートクッション７の図示しない車体から離れた室内側に設けたリクライニング装置１１により適宜の傾斜角度で停止し且つロックが可能なシートバック３・４とよりなる。符号５は、図示しない乗員を横からサポートするための側部部材である。符号９は、前記シート１の内部に配されたシートバックフレームである。符号１３は、前記シートバック３・４の上端部に配され且つ前記シートバックフレーム９に支持されてなるヘッドレストである。
【００１６】
前記シート２は、１人の大人の乗員が着座可能なるように、４９０ミリメートルの左右幅を有するシートクッション８と、該シートクッション８の図示しない車体から離れた室内側に設けたリクライニング装置１２により適宜の傾斜角度で停止し且つロックが可能なシートバック６とよりなる。符号１０は、前記シートバック６の内部に配されたシートバックフレームである。符号１３は、前記シートバック６の上端部に配され且つ前記シートバックフレーム１０に支持されてなるヘッドレストである。
【００１７】
前記シートバックフレーム９は、図２及び図３に示すように、略水平状に配され且つパイプ状に形成されてなる鉄製のアッパフレーム１５と、略水平状に配され且つパイプ状に形成されてなる鉄製のロアフレーム１６と、左右のサイドフレーム１７、１８とにより正面から見て略ロの字状に形成されてなる。該サイドフレーム１７、１８は、略垂直状に配され且つ鉄製のパイプ状に形成されてなると共に上端部が前記アッパフレーム１５の両端部に溶接支持されてなる。前記サイドフレーム１７、１８の下端部には、フランジで周囲を補強した平板鉄板の支持部１９、２０の上端部が溶接支持されてなる。前記支持部１９、２０の下端部は、前記ロアフレーム１６の両端部に溶接支持されてなる。一方の前記支持部１９には、前記リクライニング装置１１が取り付けられてなり、他方の前記支持部２０には、図示しない軸部が回転自在に挿入支持されてなる。
【００１８】
前記アッパフレーム１５の左右略中央には、略Ｕ字状の迂回部１５ｃを形成してなる。該迂回部１５ｃは、約６０ミリメートルの左右幅と上下高さの３分の２の深さ（約２６５ミリメートル）を有し、正面から見て、略Ｕの字状を為す。符号１５ａ、１５ｂは、前記アッパフレーム１５から迂回部１５ｃへの曲がり部を意味し、符号１５ｄ、１５ｅは、該曲がり部１５ａ、１５ｂと、迂回部１５ｃとの間に略垂直状に形成されてなる直線部である。前記迂回部１５ｃは、それ自体正面から見てＵの字状を為す。
【００１９】
符号２１は、前記アッパフレーム１５と、前記ロアフレーム１６とを連結して溶接支持されてなる鉄板製の補強部材である。符号２２は、前記アッパフレーム１５の迂回部１５ｃと前記リクライニング装置１１を支持した支持部１９側のサイドフレームとを連結してなる連結部である。
【００２０】
次に、本実施例の作用を説明する。
【００２１】
アッパフレーム１５の左右略中央には、略Ｕ字状の迂回部１５ｃを形成してなるため、後側ＲＲからの荷物等の衝撃をシートバック３、４が受けると、前記迂回部１５ｃのみがねじれて変形するが、直線部１５ｄ、１５ｅは変形せず、モーメントは小さくなるので、前記迂回部１５ｃより支持部１９側の変形が少なくなると共に前記迂回部１５ｃが変形時に衝撃を吸収しつつ前側ＦＲに移動するが、前記迂回部１５ｃから支持されていない側のシートバック３・４の変形であり、距離が短く、支持されていない側のシートバック４の変形量が少なくなる。前記アッパフレーム１５に迂回部１５ｃを形成することは、原価が高騰せず、重量が増加しない。
【００２２】
前記アッパフレーム１５の迂回部１５ｃと前記リクライニング装置１１を支持した側の支持部１９を備えたサイドフレーム１７とを連結してなるため、前記シートバック３、４の強度が著しく増すことになる。
【００２３】
前記リクライニング装置１１によりロックされていない側の前記シートバック４の前記アッパフレーム１５と前記ロアフレーム１６とが、補強部材２１により連結してなるため、前記補強部材２１によりシートバック４の大幅な強度増強が不要となる。
【産業上の利用可能性】
【００２４】
以上の実施例では、乗り物用シートとして自動車用のシート１を例にして説明したが、これに限定されず、航空機、鉄道車両、船舶などに搭載されているシートでも良い。また、シート１は、運転席の後ろの後側に配されるサード席を例にして説明したが、これに限定されず、後側の席でも良い。更に、シート１のシートバック３、４を支持する手段としてリクライニング装置１１を例にしたが、これに限定されず、ストライカーでも良い。
【符号の説明】
【００２５】
１、２  「乗り物」としての自動車のシート
３、４、６  シートバック
７、８  シートクッション
９、１０  シートバックフレーム
１１、１２  リクライニング装置
１５  アッパフレーム
１５ｃ  迂回部
１６  ロアフレーム
１７、１８  サイドフレーム
１９、２０  支持部
２１  補強部材
【図１】
0005780801.tif 000002
【図２】
0005780801.tif 000003
【図３】
0005780801.tif 000004